(57)【要約】【課題】糸巻取装置において、巻幅の設定変更の自由度を高める。【解決手段】糸巻取装置２では、第１ガイドレバー６３は、綾振ドラム５の回転軸方向への糸４の移動可能位置を規制しないことで綾振ドラム５に広い幅で糸４を案内する非規制位置と、綾振ドラム５の回転軸方向への糸４の移動可能位置を規制することで綾振ドラム５に狭い幅で糸４を案内する規制位置と、の間で移動可能である。第１ガイドレバー６３は、規制位置と非規制位置とで、綾振ドラム５の異なる綾振溝９に糸を誘導することで異なる幅の巻き動作が可能であり、異なる幅の巻き動作を繰り返すことで段差巻きを実行する又は狭い幅の巻動作を連続することで狭い幅の糸巻きを実行することができる。【選択図】図５
2019001603.tif 000002
【特許請求の範囲】
【請求項１】
巻取体が装着される回転支持部と、
糸を前記巻取体に案内するものであり、綾振ドラムを有する糸案内部と、
前記綾振ドラムの回転軸方向への前記糸の移動可能位置を規制しないことで前記綾振ドラムに広い振り幅で前記糸を案内する非規制位置と、前記綾振ドラムの回転軸方向への前記糸の移動可能位置を規制することで前記綾振ドラムに狭い幅で前記糸を案内する規制位置と、の間で移動可能であり、前記規制位置と前記非規制位置とで前記綾振ドラムの異なる綾振溝に前記糸を誘導することで異なる幅の糸巻き動作が可能であり、異なる幅の糸巻き動作を繰り返すことで段差巻きを実行する又は狭い幅の糸巻き動作を連続することで狭い幅の糸巻きを実行することができる、レバー部材と、
を備えた糸巻取装置。
【請求項２】
前記レバー部材は、前記綾振ドラムの回転軸方向の異なる位置に対応して設けられた複数のレバー部材を有する、請求項１に記載の糸巻取装置。
【請求項３】
前記レバー部材を駆動する駆動部と、
前記駆動部を制御する制御部と、をさらに備え、
前記制御部は、
前記レバー部材を前記規制位置に配置することで前記綾振ドラムに狭い振り幅で前記糸を案内するステップと、前記レバー部材を前記非規制位置に配置することで前記綾振ドラムに広い振り幅で前記糸を案内するステップと、を前記駆動部に交互に実行させるように前記駆動部を制御する、請求項１又は２に記載の糸巻取装置。
【請求項４】
前記制御部は、予め設定された複数の巻きパターン情報のうちの一つに従って、前記ステップを実行する、請求項３に記載の糸巻取装置。
【請求項５】
前記綾振ドラムの綾振溝は、前記糸がガイドされるときに前記綾振ドラムの幅方向第１側に向かって前記糸の軌道を広げるように延びる第１溝と、前記糸がガイドされるときに前記綾振ドラムの幅方向第２側に向かって前記第２前記糸の軌道を狭めるように延びて前記第１溝に交差して交差点を形成する第２溝とを有しており、
前記レバー部材が前記非規制位置にあるときは、前記第１溝内を移動する糸は、前記交差点を通過して前記第１溝内を移動し続け、
前記レバー部材が前記規制位置にあるときは、前記第１溝内を移動する糸は、前記交差点において前記第２溝に移ってその後に前記第２溝内を移動する、請求項１〜４のいずれかに記載の糸巻取装置。
【請求項６】
前記回転支持部は、一対の支持部と、前記一対の支持部の少なくとも一方に脱着可能であり、前記巻取体の端部を支持するアダプタを有する、請求項１〜５のいずれかに記載の糸巻取装置。
【請求項７】
前記制御部は、前記糸が、第１部分と、前記第１部分に対して前記巻取体の長手方向に並んで前記第１部分より糸層が大径の第２部分とを有しており、前記糸が、基準端から第１の幅で前記第１部分と前記第２部分に巻かれた第１糸層と、前記第１糸層と交互に積層され、前記基準端から前記第１の幅より短い第２の幅で前記第２部分のみに巻かれた第２糸層とを有しているように、前記駆動部を制御する、請求項３に記載の糸巻取装置。
【請求項８】
前記制御部は、前記糸が、前記第２部分に対して前記巻取体の長手方向に並んで前記第２部分より糸層が大径の第３部分を有しており、前記糸が、前記第１糸層及び前記第２糸層と交互に積層され、前記基準端から前記第２の幅より短い第３の幅で前記第３部分のみに巻かれた第３糸層を有しているように、前記駆動部を制御する、請求項７に記載の糸巻取装置。
【請求項９】
前記制御部は、前記第１糸層、前記第２糸層、第３糸層のトラバース回数が、２：３：４の割合であるように、前記駆動部を制御する、請求項８に記載の糸巻取装置。
【請求項１０】
前記第１糸層、前記第２糸層、前記第３糸層を形成するためのドラムワインド数が、２．５Ｗ：２．０Ｗ：１．５Ｗであり、前記第１糸層、前記第２糸層、前記第３糸層の幅が、６インチ：４インチ：３インチであるように、前記駆動部を制御する、請求項９に記載の糸巻取装置。
【請求項１１】
前記制御部は、前記第１糸層、前記第２糸層、前記第３糸層のトラバース回数が、１：２：２の割合であるように、前記駆動部を制御する、請求項８に記載の糸巻取装置。
【請求項１２】
前記制御部は、前記第１糸層、前記第２糸層、前記第３糸層を形成するためのドラムワインド数が、２．０Ｗ：１．５Ｗ：１．５Ｗであり、前記第１糸層、前記第２糸層、前記第３糸層の幅が、４インチ：３．８インチ：３インチであるように、前記駆動部を制御する、請求項１１に記載の糸巻取装置。
【請求項１３】
巻取体が装着される回転支持部と、糸を前記巻取体に案内するものであり、綾振ドラムを有する糸案内部と、前記綾振ドラムの回転軸方向への前記糸の移動可能位置を規制しないことで前記綾振ドラムに広い振り幅で前記糸を案内する非規制位置と、前記綾振ドラムの回転軸方向への前記糸の移動可能位置を規制することで前記綾振ドラムに狭い幅で前記糸を案内する規制位置と、の間で移動可能なレバー部材と、を備えた糸巻取装置による糸巻取方法であって、
前記レバー部材を前記規制位置に配置することで前記綾振ドラムに狭い振り幅で前記糸を案内する第１ステップと、
前記レバー部材を前記非規制位置に配置することで前記綾振ドラムに広い振り幅で前記糸を案内し、前記綾振ドラムの前記第１ステップとは異なる綾振溝に前記糸を誘導する第２ステップと、
を交互に繰り返して段差巻きを実現する、又は前記第１ステップを連続して実行することで狭い幅の糸巻きを実現する、
糸巻取方法。
【発明の詳細な説明】
【技術分野】
【０００１】
本発明は、糸巻取装置に関する。
【背景技術】
【０００２】
従来、精紡機等で生産された給糸ボビンの糸を解舒して、スラブ等の糸欠陥を除去しつつ、複数の給糸ボビンの糸を糸継ぎして１つのパッケージを形成する自動ワインダが知られている（特許文献１、特許文献２を参照）。
【先行技術文献】
【特許文献】
【０００３】
【特許文献１】特開平４―３７７８号公報
【特許文献２】特開平５−５８５４９公報
【発明の概要】
【発明が解決しようとする課題】
【０００４】
特許文献１には、綾振りドラム式ワインダにおいて、切換ガイド１を出没することによりトラバース幅に変化をもたらす糸の巻き取り方法が記載されている。
特許文献２には、綾振りドラム式ワインダにおいて、規制ガイド１４をヤーンガイド６に装着することで、糸の振り幅方向片側への移動を規制し、異なる巻き幅のコーンを形成する糸の巻取り方法が記載されている。
【０００５】
しかし、特許文献１に記載の方法では、段付きパッケージを形成できない。
また、特許文献２に記載の方法では、巻き幅を変更するためには規制ガイド１４を脱着する必要があり、１つのパッケージにおいて巻き幅を変更することができない。つまり、段付きパッケージを形成できない。
本発明の目的は、糸巻取装置において、巻幅の設定変更の自由度を高めることにある。
【課題を解決するための手段】
【０００６】
以下に、課題を解決するための手段として複数の態様を説明する。これら態様は、必要に応じて任意に組み合せることができる。
本発明の一見地に係る糸巻取装置は、回転支持部と、糸案内部と、レバー部材とを備えている。
回転支持部には、巻取体が装着される。
糸案内部は、糸を巻取体に案内するものであり、綾振ドラムを有している。
レバー部材は、綾振ドラムの回転軸方向への糸の移動可能位置を規制しないことで綾振ドラムに広い幅で糸を案内する非規制位置と、綾振ドラムの回転軸方向への糸の移動可能位置を規制することで綾振ドラムに狭い幅で糸を案内する規制位置と、の間で移動可能である。レバー部材は、規制位置と非規制位置とで、綾振ドラムの異なる綾振溝に糸を誘導することで異なる幅の糸巻き動作が可能であり、異なる幅の糸巻き動作を繰り返すことで段差巻きを実行する又は狭い幅の糸巻き動作を連続することで狭い幅の糸巻きを実行することができる。「異なる綾振溝」とは、完全同一ではないという意味であり、一部同じ場合を含む。
この装置では、レバー部材を規制位置と非規制位置との間で移動することで、綾振ドラムに案内される糸の振り幅の変更が可能である。具体的には、レバー部材が非規制位置にある場合は糸は綾振ドラムに広い振り幅で案内され、レバー部材が規制位置にある場合は、糸は狭い振り幅で綾振ドラムに案内され、規制されていない場合とは異なるドラム溝を通る。このようにして、広い巻幅の糸層と狭い巻幅の糸層を形成可能である。これにより、狭い巻幅のパッケージを作成できるし、それとは別に、１つのパッケージに狭い巻幅の糸層と広い巻幅の糸層を組み合わせた段差巻きを形成することもできる。
【０００７】
レバー部材は、綾振ドラムの回転軸方向の異なる位置に対応して設けられた複数のレバー部材を有していてもよい。
この装置では、レバー部材の数が２であれば、３種類の巻き幅を実現可能である。
【０００８】
糸巻取装置は、
レバー部材を駆動する駆動部と、
駆動部を制御する制御部と、をさらに備えていてもよい。
制御部は、駆動部に下記のステップを交互に実行させるように駆動部を制御する。
◎レバー部材を規制位置に配置することで綾振ドラムに狭い振り幅で糸を案内するステップ
◎レバー部材を非規制位置に配置することで綾振ドラムに広い振り幅で糸を案内するステップ
この装置では、広い巻幅の糸層と狭い巻幅の糸層が交互に巻取体の上に形成されることで、段付きパッケージが得られる。
【０００９】
制御部は、予め設定された複数の巻きパターン情報のうちの一つに従って、上述のステップを実行してもよい。これにより、パッケージ形成動作が簡単になる。
【００１０】
綾振ドラムの綾振溝は、糸がガイドされるときに綾振ドラムの幅方向第１側に向かって糸の軌道を広げるように延びる第１溝と、糸がガイドされるときに綾振ドラムの幅方向第２側に向かって糸の軌道を狭めるように延びて第１溝に交差して交差点を形成する第２溝とを有していてもよい。
レバー部材が非規制位置にあるときは、第１溝内を移動する糸は、交差点を通過して第１溝内を移動し続けてもよい。
レバー部材が規制位置にあるときは、第１溝内を移動する糸は、交差点において第２溝に移ってその後に第２溝内を移動してもよい。
【００１１】
回転支持部は、一対の支持部と、一対の支持部の少なくとも一方に脱着可能であり、巻取体の端部を支持するアダプタをさらに有していてもよい。これにより、回転支持部に対して長さが異なる巻取体を装着できる。
【００１２】
制御部は、糸が、第１部分と、第１部分に対して巻取体の長手方向に並んで第１部分より糸層が大径の第２部分とを有しており、糸が、基準端から第１の幅で第１部分と第２部分に巻かれた第１糸層と、第１糸層と交互に積層され、基準端から第１の幅より短い第２の幅で第２部分のみに巻かれた第２糸層とを有しているように、駆動部を制御してもよい。
制御部は、糸が、第２部分に対して巻取体の長手方向に並んで第２部分より糸層が大径の第３部分を有しており、糸が、第１糸層及び第２糸層と交互に積層され、基準端から第２の幅より短い第３の幅で第３部分のみに巻かれた第３糸層を有しているように、駆動部を制御してもよい。
【００１３】
制御部は、第１糸層、第２糸層、第３糸層のトラバース回数が、２：３：４の割合であるように、駆動部を制御してもよい。
第１糸層、第２糸層、第３糸層を形成するためのドラムワインド数が、２．５Ｗ：２．０Ｗ：１．５Ｗであり、第１糸層、第２糸層、第３糸層の幅が、６インチ：４インチ：３インチであるように、駆動部を制御してもよい。
【００１４】
制御部は、第１糸層、第２糸層、第３糸層のトラバース回数が、１：２：２の割合であるように、駆動部を制御してもよい。
【００１５】
制御部は、第１糸層、第２糸層、第３糸層を形成するためのドラムワインド数が、２．０Ｗ：１．５Ｗ：１．５Ｗであり、第１糸層、第２糸層、第３糸層の幅が、４インチ：３．８インチ：３インチであるように、駆動部を制御してもよい。
糸は、第１部分と、第１部分に対して巻取体の長手方向に並んで第１部分より糸層が大径の第２部分とを有しており、糸は、基準端から第１の幅で第１部分と第２部分に巻かれた第１糸層と、第１糸層と交互に積層され、基準端から第１の幅より短い第２の幅で第２部分のみに巻かれた第２糸層とを有していてもよい。
以下、第１のレバー部材と第２のレバー部材が設けられた一例を説明する。例えば、第１のレバー部材は、糸の本来の振り幅の間に配置され、規制位置において糸のそれ以上の移動を制限することで糸の振り幅を短くする。第２のレバー部材は、糸の本来の振り幅の間に配置され、規制位置において糸のそれ以上の移動を制限することで糸の振り幅をさらに短くする。つまり、糸の振り幅は、片方の折り返し位置が、本来の位置、第１のレバー部材、第２のレバー部材になるにつれて短くなる。以上より、綾振ドラムから巻取体に案内される糸は、最も広い幅の糸層と、それに一端がそろった状態でドラム幅方向に部分的に重なった中間の幅の糸層と、それに一端がそろった状態でドラム幅方向に部分的に重なった最も短い幅の糸層とを形成する。
【００１６】
本発明の他の見地に係る糸巻取方法は、巻取体が装着される回転支持部と、糸を巻取体に案内するものであり、綾振ドラムを有する糸案内部と、綾振ドラムの回転軸方向への糸の移動可能位置を規制しないことで綾振ドラムに広い振り幅で糸を案内する非規制位置と、綾振ドラムの回転軸方向への糸の移動可能位置を規制することで綾振ドラムに狭い幅で糸を案内する規制位置と、の間で移動可能なレバー部材と、を備えた糸巻取装置によるものである。糸巻取方法は、下記のステップを備えている。
◎レバー部材を規制位置に配置することで綾振ドラムに狭い振り幅で糸を案内する第１ステップ
◎レバー部材を非規制位置に配置することで綾振ドラムに広い振り幅で糸を案内し、綾振ドラムの第１ステップとは異なる綾振溝に糸を誘導する第２ステップ
第１ステップ及び第２ステップを交互に実行することで段差巻きを実現する、又は第１ステップを連続して実行することで狭い幅の糸巻きを実現する。
この方法では、レバー部材を規制位置と非規制位置との間で移動することで、綾振ドラムに案内される糸の振り幅の変更が可能である。具体的には、レバー部材が規制位置にある場合は、糸は狭い振り幅で綾振ドラムに案内され、レバー部材が非規制位置にある場合は糸は広い振り幅で綾振ドラムに案内され、規制されていない場合とは異なるドラム溝を通る。このようにして、広い巻幅の糸層と狭い巻幅の糸層を形成可能である。これにより、狭い巻幅のパッケージを作成できるし、それとは別に、１つのパッケージに狭い巻幅の糸層と広い巻幅の糸層を組み合わせた段差巻きを形成することもできる。
【発明の効果】
【００１７】
本発明に係る糸巻取装置では、巻幅の設定変更の自由度が高くなる。
【図面の簡単な説明】
【００１８】
【図１】第１実施形態に係る自動ワインダの糸巻取ユニットを示す模式正面図。
【図２】パッケージの模式図。
【図３】パッケージの模式的断面図。
【図４】第１糸巻取動作を示す模式的正面図。
【図５】第２糸巻取動作を示す模式的正面図。
【図６】第３糸巻取動作を示す模式的正面図。
【図７】綾振ドラムの溝展開図。
【図８】自動ワインダの制御構成を示すブロック図。
【図９】糸巻取動作を説明するためのフローチャート。
【図１０】第１糸巻取動作を示す模式的断面図。
【図１１】第２糸巻取動作を示す模式的断面図。
【図１２】第３糸巻取動作を示す模式的断面図。
【図１３】第１糸巻取動作を示す模式的断面図。
【図１４】第２糸巻取動作を示す模式的断面図。
【図１５】第３糸巻取動作を示す模式的断面図。
【図１６】第１糸巻取動作を示す模式的断面図。
【図１７】第１糸巻取動作における糸の溝移動を示すための綾振ドラムの溝展開図。
【図１８】第２糸巻取動作における糸の溝移動を示すための綾振ドラムの溝展開図。
【図１９】第１糸巻取動作における糸の溝移動を示すための綾振ドラムの溝展開図。
【図２０】第２実施形態に係るクレードルの構造を示す模式正面図。
【発明を実施するための形態】
【００１９】
１．第１実施形態
（１）自動ワインダの基本構造
図１を用いて、自動ワインダ１を説明する。図１は、第１実施形態に係る自動ワインダの糸巻取ユニットを示す模式的正面図である。
自動ワインダ１は、糸巻取ユニット２を有している。糸巻取ユニット２は、給糸ボビン３から解舒された糸４を綾振ドラム５で綾振りながら巻取チューブ６（巻取体の一例）に巻き取って糸層を形成し、コーン形状のパッケージ７を形成する装置である。図１では糸巻取ユニット２を１台しか図示していないが、このような糸巻取ユニット２が図略の機台上に多数列設されることで、自動ワインダ１が構成されている。
なお、巻取チューブ６は、両端にフランジがない巻取体である。巻取チューブ６はコーン形状であるが、円柱形状であってもよい。
【００２０】
給糸ボビン３は、トレイに装着され、コンベア（図示せず）によって糸巻取ユニット２に供給され、糸巻動作後に払い出される。
糸巻取ユニット２は、巻取部の一例として、巻取チューブ６を着脱可能に支持するクレードル８（回転支持部の一例）と、巻取チューブ６の周面に又はパッケージ７の周面に接触しながら所定の回転数で回転する綾振ドラム５と、を有している。
【００２１】
クレードル８は、巻取チューブ６の両端を挟持して回転自在に支持する。また、クレードル８は回動軸１０を中心に傾動自在に構成されており、巻取チューブ６又はパッケージ７への糸４の巻き取りに伴う巻太り（糸層の径の増大）を、クレードル８が回動することによって吸収できる。巻取チューブ６又はパッケージ７は、綾振ドラム５に転接することで従動回転する。
【００２２】
綾振ドラム５は、パッケージ７の表面で糸４をトラバースさせると共に、パッケージ７を回転させる。綾振ドラム５は、パッケージ駆動機構４１（図８）によって回転駆動される。パッケージ駆動機構４１は、モータ、動力伝達機構等を含む。
綾振ドラム５の外周面には、螺旋状の綾振溝９が形成されている。糸４は、綾振溝９によって一定の幅でトラバース（綾振り）されながら巻取チューブ６の表面に巻き取られる。これにより、パッケージ７が形成される。
糸巻取ユニット２の制御を担うユニット制御部５０（図８）は、糸巻取ユニット２ごとに備えられている。
【００２３】
糸巻取ユニット２は、給糸ボビン３と綾振ドラム５との間の糸走行経路中に、給糸ボビン３側から順に、糸継装置１４、とヤーンクリアラ１５、ワキシング装置２４、クリーニングパイプ２５を配設した構成となっている。
糸継装置１４は、ヤーンクリアラ１５が糸欠陥を検出して行う糸切断時、又は給糸ボビン３からの糸４の糸切れ時に、給糸ボビン３側の糸４としての下糸４Ｌと、パッケージ７側の糸４としての上糸４Ｕとを糸継ぎするように構成されている。
ヤーンクリアラ１５は、糸４の太さ欠陥を検出するためのものであって、ヤーンクリアラ１５の検出部の部分を通過する糸４の太さを適宜のセンサで検出し、このセンサからの信号をアナライザ（図示せず）で分析することで、スラブ等の糸欠陥を検出する。ヤーンクリアラ１５には、糸欠陥を検出したときに直ちに糸４を切断するためのカッタ１６が付設されている。
【００２４】
糸継装置１４の下側と上側には、給糸ボビン３側の下糸４Ｌを吸引捕捉して糸継装置１４へ案内する下糸吸引捕捉案内機構１７と、パッケージ７側の上糸４Ｕを吸引捕捉して糸継装置１４へ案内する上糸吸引捕捉案内機構２０が設けられている。
上糸吸引捕捉案内機構２０は、パイプ状に構成されており、先端にサクションマウス２２を備える。上糸吸引捕捉案内機構２０は、サクションマウス２２から延びるパイプ２０ａとパイプ２０ａを回動自在に支持する軸２１とを有している。パイプ２０ａは、連結パイプ（図示せず）を介してシャッタ装置（図示せず）に連結されている。すなわち、上糸吸引捕捉案内機構２０の基端は、シャッタ装置（図示せず）を介してブロワ（図示せず）に接続されている。
【００２５】
下糸吸引捕捉案内機構１７もパイプ状に構成されており、先端に空気取り入れ口１９を備える。下糸吸引捕捉案内機構１７は、軸１８を中心に上下回動可能に設けられる中継パイプ１７ａと、それとブロワダクト（図示せず）とを連結する連結パイプ（図示せず）とから構成されている。
ワキシング装置２４は、走行する糸４に対して適宜のワックスを塗布する装置である。
【００２６】
クリーニングパイプ２５は、走行する糸４に付着している異物を吸引して除去する装置である。クリーニングパイプ２５の基端はシャッタ装置（図示せず）を介してブロワに接続され、クリーニングパイプ２５の先端には吸引口が形成されている。クリーニングパイプ２５の吸引口は、ワキシング装置２４と綾振ドラム５との間で走行する糸４に対して近接される。
【００２７】
（２）パッケージ
図２及び図３を用いて、パッケージ７を説明する。図２は、パッケージの模式図である。図３は、パッケージの模式的断面図である。
パッケージ７は、段付きのコーン形状であり、この実施形態では３段である。具体的には、最も径が小さい第１段７Ａ（第１部分の一例）と、中くらいの径の第２段７Ｂ（第２部分の一例）と、最も径が大きい第３段７Ｃとを有している。
【００２８】
パッケージ７は、幅方向全体に（第１段７Ａ〜第３段７Ｃにわたって）形成された第１糸層５１と、それより狭い幅でかつ幅方向片側によって（第２段７Ｂ〜第３段７Ｃにわたって）形成された第２糸層５３と、それより狭い幅でかつ幅方向片側によって（第３段７Ｃに）形成された第３糸層５５が交互に形成されてなる。つまり、第１段７Ａは、複数の第１糸層５１により構成されており、第２段７Ｂは複数の第１糸層５１及び第２糸層５３によって構成されており、第３段７Ｃは複数の第１糸層５１、第２糸層５３及び第３糸層５５によって構成されている。
言い換えると、第１糸層５１は図右側の基準端Ｐから幅Ａで巻かれており、第２糸層５３は図右側の基準端から第１糸層５１より短い幅Ｂで巻かれており、第３糸層５５は図右側の基準端から第２糸層５３より短い幅Ｃで巻かれている。
パッケージ７から糸が解舒されるときは、最も外側の第１糸層５１の次に、第３糸層５５、第２糸層５３、第１糸層５１がこの順番で繰り返し解舒されていく。
【００２９】
以上に述べたように外径が異なる糸の第１段７Ａと第２段７Ｂとを有する段付き構造が実現されているので、解舒時に糸が糸層に接触しにくくなる。具体的には、第２段７Ｂの解除がなされているときに、糸は第１段７Ａに接触しない。その結果、解舒テンションが減少する。
さらに、糸の第１段７Ａ及び第２段７Ｂを構成する第１糸層５１及び第２糸層５３は交互に積層されている。そのため、ラッチングの危険ゾーンを回避する糸巻を実現できる。
各段の境界はなめらかに変化しており、つまり角張った部分が表面に形成されていない。その理由は、第１糸層５１が第２糸層５３の段差部を第１段７Ａから第２段７Ｂにかけて連続的に覆っており、第１糸層５１が第２糸層５３の段差部を第２段７Ｂから第３段７Ｃにかけて連続的に覆っており、第２糸層５３が第３糸層５５の段差部を第２段７Ｂから第３段７Ｃにかけて連続的に覆っているからである。
【００３０】
（３）糸巻幅調整装置
糸巻取ユニット２は、糸巻幅調整装置６１を有している。糸巻幅調整装置６１は、トラバースしている糸４のトラバースを規制することで、糸４を従来と異なる綾振溝９を通らせ、それにより、非規制の場合に比べて狭い幅の糸層を巻取チューブ６の上に形成するための装置である。
糸巻幅調整装置６１は、図２に示すように、第１ガイドレバー６３と、第２ガイドレバー６５とを有している。第１ガイドレバー６３及び第２ガイドレバー６５は、綾振ドラム５に近接して糸案内側に設けられている。具体的には、第１ガイドレバー６３及び第２ガイドレバー６５は、綾振ドラム５の回転軸方向の異なる位置に対応して、具体的には、図左側から右側に上記の順番で並んで配置されている。
【００３１】
第１ガイドレバー６３及び第２ガイドレバー６５は、それぞれ、規制位置と非規制位置との間で移動可能である。規制位置では、第１ガイドレバー６３及び第２ガイドレバー６５は、糸振り通過領域において糸４の綾振ドラムの回転軸方向の移動可能位置を規制することで、綾振ドラム５に狭い振り幅で糸４を案内する。非規制位置では、第１ガイドレバー６３及び第２ガイドレバー６５は、糸振り通過領域から外れることで糸４の綾振ドラムの回転軸方向の移動可能位置を規制しないことで、綾振ドラム５に広い振り幅で糸４を案内する。第１ガイドレバー６３及び第２ガイドレバー６５は、規制位置と非規制位置とで、綾振ドラム５の異なる綾振溝９に糸４を誘導する（後述）。
なお、この実施形態では、ガイドレバーの数が２であるので、パッケージ７において３種類の巻き幅を実現可能である（後述）。
糸巻幅調整装置６１は、第１ガイドレバー６３及び第２ガイドレバー６５の動作を制御するためのトラバース形成機構４３（図８）を有している（後述）。
【００３２】
図４〜図６を用いて、第１〜第３糸巻動作の概略を説明する。図４は、第１糸巻動作を示す模式的正面図である。図５は、第２糸巻動作を示す模式的正面図である。図６は、第３糸巻動作を示す模式的正面図である。
第１糸巻動作では、図４に示すように第１ガイドレバー６３及び第２ガイドレバー６５が非規制位置にあり、そのため、糸４は規制されずに綾振ドラム５に対して最も広い振り幅で案内される。そのため第１糸層５１が形成される。
【００３３】
第２糸巻動作では、図５に示すように第１ガイドレバー６３のみが規制位置にあり、そのため、糸４は規制されて綾振ドラム５に対して中くらいの振り幅で案内される。具体的には、糸４は、第１ガイドレバー６３によってそれ以上図左側に振られることがない。以上の結果、第２糸層５３が形成される。
第３糸巻動作では、図６に示すように、第２ガイドレバー６５のみが規制位置にあり、そのため、糸４は規制されて綾振ドラム５に対して最も狭い振り幅で案内される。具体的には、糸４は、第２ガイドレバー６５によってそれ以上図左側に振られることがない。以上の結果、第３糸層５５が形成される。
【００３４】
図７を用いて、綾振ドラム５の溝形状を説明する。図７は、綾振ドラムの溝展開図である。綾振ドラム５の回転方向は矢印Ｒで示されている。
綾振ドラム５の綾振溝９は、螺旋状に形成されており、主に、トラバース往路７１と、トラバース復路７３とを有している。トラバース往路７１は、図斜め左下に延びており、図では３本の溝として表示されている。言い換えると、トラバース往路７１は、糸４が溝にガイドされるときに綾振ドラム５の図左側（幅方向第１側）に向かって糸４の軌道を広げるように延びている。具体的には、図７において、トラバース往路７１は、点ａ→点ｂ→点ｃ→点ｄの順番で延びている。
トラバース復路７３は、図斜め右下に延びており、図では２本の溝として表示されている。言い換えると、トラバース復路７３は、糸４が溝にガイドされるときに綾振ドラム５の図右側（幅方向第２側）に向かって糸４の軌道を狭めるように延びている。具体的には、図７において、トラバース復路７３は、点ｄ→点ｅ→点ａの順番で延びている。
【００３５】
トラバース往路７１とトラバース復路７３は、第１交差点７５と第２交差点７７を有している。第１交差点７５は、図７においてドラム幅の右端から２／３程度の位置に設けられている。第２交差点７７は、図７においてドラム幅の右端から１／３程度の位置に設けられている。
以上の構成によって、トラバース往路７１において図左側に綾振りされた糸４が、続いてトラバース復路７３によって図右側に綾振りされて元の位置に戻る。このようにして、綾振溝９で綾振りされた糸４が巻取チューブ６に巻き取られる。
【００３６】
前述の第１糸巻動作では、糸４が綾振ドラム５上で綾振溝９内を移動する幅範囲は、幅Ａで示すドラム幅全体（例えば、６インチ）である。
前述の第２糸巻動作では、糸４が綾振ドラム５上で綾振溝９内を移動する幅範囲は、幅Ｂで示す綾振ドラム５の図右端と第１交差点７５との間（例えば、４インチ）である。
前述の第３糸巻動作では、糸４が綾振ドラム５上で綾振溝９内を移動する幅範囲は、幅Ｃで示す綾振ドラム５の図右端と第２交差点７７との間（例えば、３インチ）である。
【００３７】
（４）糸巻取ユニットの制御構成
図８及び図９を用いて、糸巻取ユニット２の制御構成を説明する。図８は、自動ワインダの制御構成を示すブロック図である。図９は、糸巻動作を説明するためのフローチャートである。
糸巻取ユニット２は、ユニット制御部５０を有している。
【００３８】
ユニット制御部５０は、プロセッサ（例えば、ＣＰＵ）と、記憶装置（例えば、ＲＯＭ、ＲＡＭ、ＨＤＤ、ＳＳＤなど）と、各種インターフェース（例えば、Ａ／Ｄコンバータ、Ｄ／Ａコンバータ、通信インターフェースなど）を有するコンピュータシステムである。ユニット制御部５０は、記憶部（記憶装置の記憶領域の一部又は全部に対応）に保存されたプログラムを実行することで、各種制御動作を行う。
ユニット制御部５０は、単一のプロセッサで構成されていてもよいが、各制御のために独立した複数のプロセッサから構成されていてもよい。
【００３９】
ユニット制御部５０の各要素の機能は、一部又は全てが、ユニット制御部５０を構成するコンピュータシステムにて実行可能なプログラムとして実現されてもよい。その他、制御部の各要素の機能の一部は、カスタムＩＣにより構成されていてもよい。
【００４０】
ユニット制御部５０には、前述したパッケージ駆動機構４１が接続されている。
ユニット制御部５０には、前述したトラバース形成機構４３が接続されている。トラバース形成機構４３は、段付きのパッケージ７を形成するための機構である。トラバース形成機構４３は、第１駆動機構４５（駆動部の一例）と、第２駆動機構４７（駆動部の一例）と、回転センサ５９とを有している。
【００４１】
第１駆動機構４５は、第１ガイドレバー６３を規制位置と非規制位置との間で移動させるアクチュエータであり、例えば、ソレノイドである。第１駆動機構４５は、モータ、動力伝達機構であってもよい。
第２駆動機構４７は、第２ガイドレバー６５を規制位置と非規制位置との間で移動させるアクチュエータであり、例えば、ソレノイドである。第２駆動機構４７は、モータ、動力伝達機構等であってもよい。
回転センサ５９は、綾振ドラム５が１／６０回転するごとに信号を出力するセンサである。
ユニット制御部５０には、図示しないが、糸４の位置を検出するセンサ、各装置の状態を検出するためのセンサ及びスイッチ、並びに情報入力装置が接続されている。
【００４２】
（５）糸巻動作
図９を用いて、パッケージ７の糸巻動作を説明する。図９は、糸巻動作を説明するためのフローチャートである。
以下に説明する制御フローチャートは例示であって、各ステップは必要に応じて省略及び入れ替え可能である。また、複数のステップが同時に実行されたり、一部又は全てが重なって実行されたりしてもよい。
さらに、制御フローチャートの各ブロックは、単一の制御動作とは限らず、複数のブロックで表現される複数の制御動作に置き換えることができる。
なお、各装置の動作は、制御部から各装置への指令の結果であり、これらはソフトウェア・アプリケーションの各ステップによって表現される。
【００４３】
最初に、ガイドレバーの切換タイミングの決定方式を説明する。前提として、ドラムワインド数によって、１回トラバース（ドラムを一往復）するために必要なドラムの回転数が異なる。そのため回転センサ５９からの信号入力回数も異なる。
ドラムワインド数、ドラム回転数／ＴＲＶ、ドラム回転信号入力回数／ＴＲＶの関係は、例えば、下記のようになる。
【表１】
2019001603.tif 000003
以上より、ガイドレバーの状態（規制位置又は非規制位置）によって、ドラムワインド数（何ワインドで巻いているか）が判断され、さらにそれにより、ドラムが何回転したら１トラバースするかが判断される。以上より、各ワインド数において適切なタイミングでガイドレバーを規制位置と非規制位置との間で移動させることができる。
【００４４】
以下、図９を用いて、２．５Ｗ（６インチ）：２．０Ｗ（４インチ）：１．５Ｗ（３インチ）＝２：３：４（トラバース回数（層数））となるパッケージ７の形成を説明する。
ステップＳ１では、第１糸巻動作が行われる。具体的には、ユニット制御部５０が、第１ガイドレバー６３及び第２ガイドレバー６５を非規制位置に移動させることで、ドラムワインド数を２．５Ｗに設定する。そして、その状態で糸層を２層形成する。そして、ドラム回転信号が１５０×２＝３００回入力されたら、第１糸層５１の形成を終了する。
ステップＳ２では、パッケージ７が完成したか否かが判断される。完成していなければ、プロセスはステップＳ３に移行する。完成していれば、プロセスは終了する。
【００４５】
ステップＳ３では、第２糸巻動作が行われる。具体的には、ユニット制御部５０が、第１ガイドレバー６３を規制位置に移動させることで、ドラムワインド数２．０Ｗに切り替える。そして、その状態で糸層を３層形成する。そして、ドラム回転信号が１２０×３＝３６０回入力されたら、第２糸層５３の形成を終了する。
ステップＳ４では、第３糸巻動作が行われる。具体的には、ユニット制御部５０が、第１ガイドレバー６３を非規制位置に移動させ、かつ、第２ガイドレバー６５を規制位置に移動させることで、ドラムワインド数を１．５Ｗに切り替える。そして、その状態で糸層を４層形成する。そして、ドラム回転信号が９０×４＝３６０回入力されたら、第３糸層５５の形成を終了する。
【００４６】
以上より、第１糸層５１、第２糸層５３、第３糸層５５が繰り返し形成され、最後に第１糸層５１が形成されることでパッケージ７が完成する。
なお、ユニット制御部５０は、予め設定された複数の巻きパターン情報のうちの１つに従って、上述のステップを実行する。具体的には、ユニット制御部５０は、自動的に又は作業者からの操作にしたがって、記憶部に保存された巻きパターン情報を読み出して、それに基づいて制御を実行する。これにより、パッケージ製造動作が簡単になる。または、作業者が毎回ユニット制御部５０に巻きパターンを入力してもよい。
【００４７】
上記のパッケージ製造方法では、巻取チューブ６に第１糸層５１を巻くステップ、巻取チューブ６の長手方向に第１糸層５１より短い範囲で第１糸層５１に重ねて第２糸層５３を巻くステップ、巻取チューブ６の長手方向に第２糸層５３より短い範囲で第２糸層５３に重ねて第３糸層５５を巻くステップを交互に繰り返している。その結果、第１段７Ａと、第１段７Ａに対して巻取チューブ６の長手方向に並んで第１段７Ａより大径の第２段７Ｂと、第２段７Ｂより大径の第３段７Ｃとを有する糸層が形成される。
各糸層の幅を変更する動作を詳細に説明すれば、下記の通りである。第１ガイドレバー６３及び第２ガイドレバー６５を規制位置と非規制位置との間で移動することで、綾振ドラム５に案内される糸４の振り幅の変更が可能である。具体的には、第１ガイドレバー６３及び第２ガイドレバー６５が非規制位置にある場合に糸４は綾振ドラム５に広い振り幅で案内され、第１ガイドレバー６３及び第２ガイドレバー６５が規制位置にある場合に、糸４は狭い振り幅で綾振ドラム５に案内され、規制されていない場合とは異なる綾振溝９を通る糸４は狭い巻き幅で巻取チューブ６に巻かれる。このようにして、例えば、広い巻幅の第１糸層と狭い巻幅の第２糸層が形成可能となることで、本実施形態のように、１つのパッケージに狭い巻幅の糸層と広い巻幅の糸層を組み合わせて段付きのパッケージ７を得ることができる。
【００４８】
図１０〜図１６を用いて、上述の糸巻取り動作の各糸層の形成を詳細に説明する。図１０〜図１６は、各糸巻動作を示す模式的断面図である。
図１０に示すように、第１糸巻動作として、第１糸層５１が巻取チューブ６の表面全体に形成される（図９のステップＳ１）。
図１１に示すように、第２糸巻動作として、第２糸層５３が第１糸層５１の上に形成される（図９のステップＳ３）。
図１２に示すように、第３糸巻動作として、第３糸層５５が第２糸層５３の上に形成される（図９のステップＳ４）。
【００４９】
図１３に示すように、第１糸巻動作として、第１糸層５１が、先の第１糸層５１、第２糸層５３及び第３糸層５５の上に形成される（図９のステップＳ１）。
図１４に示すように、第２糸巻動作として、第２糸層５３が第１糸層５１の上に形成される（図９のステップＳ３）。
図１５に示すように、第３糸巻動作として、第３糸層５５が第２糸層５３の上に形成される（図９のステップＳ４）。
図１６に示すように、第１糸巻動作として、第１糸層５１が第３糸層５５の上に形成される（図９のステップＳ１）。以上の結果、パッケージ７が完成する。
【００５０】
上記のように、第１糸層５１が第２糸層５３及び第３糸層の段差部を覆っているので、段差部分の糸層高さの変化が少なくなり、高さの変化がなだらかになる。したがって、糸層の数を増やすことができ、パッケージ７の重量を大きくできる。
なお、上記の実施形態では、第１糸層５１、第２糸層５３及び第３糸層５５のセットの繰り返しは２回であったが、３回以上であってもよい。
さらに、上記の実施形態では繰り返しセットを構成する糸層の種類数３であったが、２であってもよいし、４以上であってもよい。
【００５１】
図１７〜図１９を用いて、各糸巻動作における糸の溝移動を説明する。図１７〜図１９は、各糸巻動作における糸の溝移動を示すための綾振ドラムの溝展開図である。
図１７に示すように、第１糸巻動作（図９のステップＳ１）では、糸４は、綾振ドラム５の綾振溝９を下記のように移動する。点ａ→点ｂ→点ｃ→点ｄ→点ｅ→点ａの順番である。より詳細には、第１ガイドレバー６３が非規制位置にあるので、トラバース往路７１に沿って移動する糸４は、第１交差点７５を通過してそのままトラバース往路７１に沿って移動する。以上の結果、第１糸層５１が形成される。
【００５２】
なお、以上の説明は６インチ２．５Ｗドラム溝を利用した場合であるが、必要に応じて６インチ２．０Ｗドラム溝も利用可能である。これにより、トラバース幅のバリエーションを増加できる。６インチ２．０Ｗドラム溝を利用した糸巻動作では、糸４は、綾振ドラム５の綾振溝９を下記のように移動する。具体的には、図７において、点ａ→分岐点７９→点ｅ→合流点８１→点ｄ→点ｅ→点ａの順番である。
【００５３】
図１８に示すように、第２糸巻動作（図９のステップＳ３）では、糸４は、綾振ドラム５の綾振溝９を下記のように移動する。点ａ→点ｂ→点ｃ→第１交差点７５→点ｅ→点ａの順番である。より詳細には、第１ガイドレバー６３が規制位置にあるので、トラバース往路７１に沿って移動する糸４は、第１交差点７５においてトラバース復路７３に移ってその後にトラバース復路７３に沿って移動する。以上の結果、第２糸層５３が形成される
【００５４】
図１９に示すように、第３糸巻動作（図９のステップＳ４）では、糸４は、綾振ドラム５の綾振溝９を下記のように移動する。点ａ→点ｂ→第２交差点７７→点ａの順番である。より詳細には、第２ガイドレバー６５が規制位置にあるので、トラバース往路７１に沿って移動する糸４は、第２交差点７７においてトラバース復路７３に移ってその後にトラバース復路７３に沿って移動する。以上の結果、第３糸層５５が形成される。
前記実施形態では巻幅６インチのパッケージを説明したが、本発明は他のサイズのパッケージにも適用できる。例えば、巻幅４インチのパッケージにも本発明を適用できる。一例として、２．０Ｗ（４インチ）：１．５Ｗ（３．８インチ）：１．５Ｗ（３インチ）＝１：２：２（トラバース回数（層数））となるパッケージでもよい。この場合も、危険ゾーンのラッチングを回避できる。
【００５５】
２．第２実施形態
図２０を用いて、クレードルの実施形態を説明する。図２０は、第２実施形態に係るクレードルの構造を示す模式的正面図である。
クレードル８の一方の支持部には、アダプタ８３が脱着可能に装着されている。アダプタ８３は、巻取チューブ６の端部を支持する。これにより、クレードル８に対して長さが異なる巻取チューブ６を装着できる。
アダプタは、変形例として、クレードルの他方の支持端に設けられていてもよいし、クレードルの両側の支持端に設けられていてもよい。
【００５６】
３．他の実施形態
以上、本発明の複数の実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組み合せ可能である。
前記実施形態では１つのパッケージに狭い巻幅の糸層と広い巻幅の糸層を組み合わせた段差巻きを実現していたが、他の糸巻方法も実現可能である。例えば、レバー部材を規制位置にして糸を狭い振り幅で綾振ドラムに連続的に案内されば、狭い巻き幅のパッケージが製造される。具体的には、第１ガイドレバー６３を規制位置に配置して糸巻きを連続的に行えば、中程度の幅のパッケージが得られる。また、第２ガイドレバー６５を規制位置に配置して糸巻きを連続的に行えば、短い幅のパッケージが得られる。
パッケージの形状は、コーン形状（円錐台形状）であってもよいし、チーズ形状（円柱形状）であってもよい。
【００５７】
第１実施形態ではガイドレバーの数は２個であって、３段の段付きパッケージを製造していたが、ガイドレバーの数は限定されない。例えば、ガイドレバーの数が１個であって、２段の段付きパッケージを製造してもよい。または、ガイドレバーの数は３個以上であってもよい。
第１実施形態では１度に規制位置に配置されるガイドレバーの数は１個であったが、この数は限定されない。例えば、１度に規制位置に移動するガイドレバーの数は２個でもよい。その場合は、糸の振り幅は２個のガイドレバーの間に制限される。
本発明は、空気精紡機、オープンエンド精紡機にも適用できる。
【産業上の利用可能性】
【００５８】
本発明は、糸巻取装置に広く適用できる。
【符号の説明】
【００５９】
１      ：自動ワインダ
２      ：糸巻取ユニット
３      ：給糸ボビン
４      ：糸
５      ：綾振ドラム
６      ：巻取チューブ
７      ：パッケージ
７Ａ    ：第１段
７Ｂ    ：第２段
７Ｃ    ：第３段
８      ：クレードル
９      ：綾振溝
１０    ：回動軸
１１    ：トレイ
１４    ：糸継装置
１５    ：ヤーンクリアラ
１６    ：カッタ
１７    ：下糸吸引捕捉案内機構
１７ａ  ：中継パイプ
１９    ：空気取り入れ口
２０    ：上糸吸引捕捉案内機構
２０ａ  ：パイプ
２２    ：サクションマウス
２４    ：ワキシング装置
２５    ：クリーニングパイプ
４１    ：パッケージ駆動機構
４３    ：トラバース形成機構
４５    ：第１駆動機構
４７    ：第２駆動機構
５０    ：ユニット制御部
５１    ：第１糸層
５３    ：第２糸層
５５    ：第３糸層
５９    ：回転センサ
６１    ：糸巻幅調整装置
６３    ：第１ガイドレバー
６５    ：第２ガイドレバー
７１    ：往路溝
７３    ：復路溝
７５    ：第１交差点
７７    ：第２交差点
【図１】
2019001603.tif 000004
【図２】
2019001603.tif 000005
【図３】
2019001603.tif 000006
【図４】
2019001603.tif 000007
【図５】
2019001603.tif 000008
【図６】
2019001603.tif 000009
【図７】
2019001603.tif 000010
【図８】
2019001603.tif 000011
【図９】
2019001603.tif 000012
【図１０】
2019001603.tif 000013
【図１１】
2019001603.tif 000014
【図１２】
2019001603.tif 000015
【図１３】
2019001603.tif 000016
【図１４】
2019001603.tif 000017
【図１５】
2019001603.tif 000018
【図１６】
2019001603.tif 000019
【図１７】
2019001603.tif 000020
【図１８】
2019001603.tif 000021
【図１９】
2019001603.tif 000022
【図２０】
2019001603.tif 000023